【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
モジュラーテキスタイルシステムであって、
第１のタイル、第２のタイル及び第３のタイルを含む複数の別個のテキスタイルタイルを備え、前記第１のタイル、前記第２のタイル及び前記第３のタイルはそれぞれ、第１の方向に延びる第１の寸法、及び前記第１の方向に対して実質的に垂直な第２の方向に延びる第２の寸法を有し、
前記第１のタイル、前記第２のタイル及び前記第３のタイルの前記第１の寸法は実質的に同じであり、且つ前記第１のタイル、前記第２のタイル及び前記第３のタイルの前記第２の寸法は実質的に同じであり、
前記第１のタイル、前記第２のタイル及び前記第３のタイルは全体で、それぞれの前記タイルの前記第１の寸法に沿って延びる複数のデザイン領域を含み、
前記デザイン領域は、
第１の連係デザイン領域対であって、前記第１の連係デザイン領域対の前記デザイン領域はそれぞれ、前記第１のタイル及び前記第２のタイルのそれぞれの縁部を画定し、前記縁部は、前記第１のタイル及び前記第２のタイルの前記第１の寸法に沿って前記第１の方向に延び、前記第１の連係デザイン領域対の前記デザイン領域は互いに異なる外観を有する、第１の連係デザイン領域対と、
第２の連係デザイン領域対であって、前記第２の連係デザイン領域対の前記デザイン領域はそれぞれ、前記第２のタイル及び前記第３のタイルのそれぞれの縁部を画定し、前記縁部は、前記第２のタイル及び前記第３のタイルの前記第１の寸法に沿って前記第１の方向に延び、前記第２の連係デザイン領域対は前記第１の連係デザイン領域対とは異なる外観を有する、第２の連係デザイン領域対とを含む、システム。
【請求項２】
前記第１の連係デザイン領域対は、前記第１のタイル及び前記第２のタイルを互いに連係させ、
前記第２の連係デザイン領域対は、前記第２のタイル及び前記第３のタイルを互いに連係させ、
前記第２のタイルは、前記第１のタイル及び前記第２のタイルを互いに連係させる、請求項１に記載のシステム。
【請求項３】
前記第２の連係デザイン領域対は、第１のデザイン領域及び第２のデザイン領域を含み、前記第１のデザイン領域及び前記第２のデザイン領域は、互いに実質的に外観が同一である、請求項１又は２に記載のシステム。
【請求項４】
前記第２の連係デザイン領域対は、第１のデザイン領域及び第２のデザイン領域を含み、前記第１のデザイン領域及び前記第２のデザイン領域は、互いに実質的に外観が異なる、請求項１又は２に記載のシステム。
【請求項５】
前記第１の連係デザイン領域対は、第１のデザイン領域及び第２のデザイン領域を含み、
前記第１のデザイン領域は、モチーフ及び背景を含み、
前記第２のデザイン領域は、前記第１のデザイン領域の前記背景と実質的に同一の背景を含み、前記第１のデザイン領域の前記モチーフは含まない、請求項１又は２に記載のシステム。
【請求項６】
前記第１の連係デザイン領域対は、第１のデザイン領域及び第２のデザイン領域を含み、
前記第１のデザイン領域は、それぞれの前記タイルの前記第１の寸法に沿って延びるデザイン要素を含み、
前記第２のデザイン領域は、前記第１のデザイン領域の前記デザイン要素を含まない、請求項１又は２に記載のシステム。
【請求項７】
前記第１のデザイン領域の前記デザイン要素はアクセントストライプである、請求項６に記載のシステム。
【請求項８】
前記デザイン領域はそれぞれ、糸タイプ、別個の糸タイプの数、及びタフティング仕様の少なくとも１つによって、少なくとも部分的に定められる構成を有し、
前記第１の連係デザイン領域対の前記デザイン領域は、互いに実質的に同じ構成を有し、
前記第２の連係デザイン領域対の前記デザイン領域は、互いに実質的に同じ構成を有する、請求項１又は２に記載のシステム。
【請求項９】
前記第１のタイルの前記デザイン領域と実質的に同じ構成を有する前記第２のタイルの前記デザイン領域は、前記第２のタイルの第１のデザイン領域であり、
前記第３のタイルの前記デザイン領域と実質的に同じ構成を有する前記第２のタイルの前記デザイン領域は、前記第２のタイルの第２のデザイン領域であり、
前記第２のタイルの前記第１のデザイン領域及び前記第２のデザイン領域は、前記第１の方向に延びる前記第２のタイルの対向する縁部を画定する、請求項８に記載のシステム。
【請求項１０】
前記第２のタイルの前記第１のデザイン領域の前記構成、及び前記第２のタイルの前記第２のデザイン領域の前記構成は、互いに別個である、請求項９に記載のシステム。
【請求項１１】
前記デザイン領域はそれぞれ、少なくとも１ｃｍの第２の寸法を有する、請求項１〜１０のいずれか１項に記載のシステム。
【請求項１２】
複数の第１のタイルと、
複数の第２のタイルと、
複数の第３のタイルと、
を含むテキスタイル設置物を形成するように配置される、請求項１〜１１のいずれか１項に記載のシステム。
【請求項１３】
長さ及び幅を有するテキスタイルウェブから形成される、請求項１又は２に記載のシステムであって、
前記テキスタイルウェブは、前記テキスタイルウェブの前記長さに沿って延びる前記デザイン領域であって、それぞれがデザインパラメーターによって定められる前記デザイン領域を備え、
前記デザイン領域は、
第１のデザイン領域が、前記複数のタイルの前記第１のタイルと前記第２のタイルとの間に割り当てられ、前記第１の連係デザイン領域対を定めるように、及び
第２のデザイン領域が、前記複数のタイルの前記第２のタイルと前記第３のタイルとの間に割り当てられ、前記第２の連係デザイン領域対を定めるように、且つ前記第１のタイル、前記第２のタイル及び前記第３のタイルが前記テキスタイルウェブの前記幅にわたって互いに隣接するように、構成される、システム。
【請求項１４】
前記第１のデザイン領域はモチーフを含む、請求項１３に記載のシステム。
【請求項１５】
前記モチーフは、実質的に前記第１のデザイン領域にわたって延びる、請求項１４に記載のシステム。
【請求項１６】
前記第１のデザイン領域が前記第１のタイルと前記第２のタイルとの間に割り当てられたときに、前記第１のタイルのみが前記モチーフを含むように、前記モチーフは、部分的に前記第１のデザイン領域にわたって延びる、請求項１４に記載のシステム。
【請求項１７】
前記テキスタイルウェブの前記長さに沿って延びるアクセントストライプをさらに備える、請求項１３に記載のシステム。
【請求項１８】
請求項１又は２に記載のシステムであって、
長さ及び幅を有するテキスタイルウェブを準備することであって、前記テキスタイルウェブの前記幅は、前記テキスタイルウェブの前記長さに沿って延びる第１のデザイン領域及び第２のデザイン領域を含む複数の別個のデザイン領域を含む、準備すること、及び
前記テキスタイルウェブを、前記第１のタイル、前記第２のタイル及び前記第３のタイルを含む前記複数のタイルに分割することであって、前記第１のデザイン領域及び前記第２のデザイン領域のそれぞれが、それぞれの第１の部分及びそれぞれの第２の部分に分割されるように、前記第１のタイル、前記第２のタイル及び前記第３のタイルが、前記テキスタイルウェブの前記幅にわたって互いに実質的に隣接している、分割することを含む、方法によって形成され、
前記第１のタイルが、前記第１のデザイン領域の前記第１の部分を含み、
前記第２のタイルが、前記第１のデザイン領域の前記第２の部分と、前記第２のデザイン領域の前記第１の部分とを含み、
前記第３のタイルが、前記第２のデザイン領域の前記第２の部分を含み、
前記第１のデザイン領域の前記第１の部分及び前記第１のデザイン領域の前記第２の部分が、前記第１の連係デザイン領域対を定め、
前記第２のデザイン領域の前記第１の部分及び前記第２のデザイン領域の前記第２の部分が、前記第２の連係デザイン領域対を定める、システム。
【請求項１９】
モジュラーテキスタイルシステムであって、
第１のタイル、第２のタイル及び第３のタイルを含む複数の別個のテキスタイルタイルを備え、前記第１のタイル、前記第２のタイル及び前記第３のタイルはそれぞれ、第１の方向に延びる第１の寸法、及び前記第１の方向に対して実質的に垂直な第２の方向に延びる第２の寸法を有し、
前記第１のタイル、前記第２のタイル及び前記第３のタイルの前記第１の寸法は実質的に同じであり、且つ前記第１のタイル、前記第２のタイル及び前記第３のタイルの前記第２の寸法は実質的に同じであり、
前記第１のタイル、前記第２のタイル及び前記第３のタイルは全体で、それぞれの前記タイルの前記第１の寸法に沿って延びる複数のデザイン領域を含み、前記デザイン領域はそれぞれ、タフテッド糸により定められた外観を有し、
前記デザイン領域は、
第１の連係デザイン領域対であって、前記第１の連係デザイン領域対の前記デザイン領域はそれぞれ、前記第１のタイル及び前記第２のタイルのそれぞれの縁部を画定し、前記縁部は、前記第１のタイル及び前記第２のタイルの前記第１の寸法に沿って前記第１の方向に延び、前記第１の連係デザイン領域対の前記デザイン領域のタフテッド糸は、前記第１の連係デザイン領域対の前記デザイン領域が互いに異なる外観を有するように構成される、第１の連係デザイン領域対と、
第２の連係デザイン領域対であって、前記第２の連係デザイン領域対の前記デザイン領域はそれぞれ、前記第２のタイル及び前記第３のタイルのそれぞれの縁部を画定し、前記縁部は、前記第２のタイル及び前記第３のタイルの前記第１の寸法に沿って前記第１の方向に延び、前記第２の連係デザイン領域対の前記タフテッド糸は、前記第１の連係デザイン領域対とは異なる外観を有するように構成される、第２の連係デザイン領域対とを含む、システム。
【請求項２０】
前記第１の連係デザイン領域対は、前記第１のタイル及び前記第２のタイルを互いに連係させ、
前記第２の連係デザイン領域対は、前記第２のタイル及び前記第３のタイルを互いに連係させ、
前記第２のタイルは、前記第１のタイル及び前記第２のタイルを互いに連係させる、請求項１９に記載のシステム。
【請求項２１】
前記第２の連係デザイン領域対は、第１のデザイン領域及び第２のデザイン領域を含み、前記第１のデザイン領域及び前記第２のデザイン領域の前記タフテッド糸は、前記第１のデザイン領域が前記第２のデザイン領域の前記外観と実質的に同一である外観を有するように構成される、請求項１９又は２０に記載のシステム。
【請求項２２】
前記第２の連係デザイン領域対は、第１のデザイン領域及び第２のデザイン領域を含み、前記第１のデザイン領域及び前記第２のデザイン領域の前記タフテッド糸は、前記第１のデザイン領域が前記第２のデザイン領域の前記外観と異なる外観を有するように構成される、請求項１９又は２０に記載のシステム。
【請求項２３】
前記第１の連係デザイン領域対は、第１のデザイン領域及び第２のデザイン領域を含み、
前記第１のデザイン領域の前記タフテッド糸は、モチーフ及び背景を含むように構成され、
前記第２のデザイン領域の前記タフテッド糸は、前記第２のデザイン領域が前記第１のデザイン領域の前記背景と実質的に同一の背景を含み且つ前記第１のデザイン領域の前記モチーフは含まないように構成される、請求項１９又は２０に記載のシステム。
【請求項２４】
前記第１の連係デザイン領域対は、第１のデザイン領域及び第２のデザイン領域を含み、
前記第１のデザイン領域の前記タフテッド糸は、それぞれの前記タイルの前記第１の寸法に沿って延びるデザイン要素を含むように構成される、
前記第２のデザイン領域は、前記第１のデザイン領域の前記デザイン要素を含まない、請求項１９又は２０に記載のシステム。
【請求項２５】
前記第１のデザイン領域の前記デザイン要素はアクセントストライプである、請求項２４に記載のシステム。
【請求項２６】
前記デザイン領域はそれぞれ、糸タイプ、別個の糸タイプの数、及びタフティング仕様の少なくとも１つによって、少なくとも部分的に定められる構成を有し、
前記第１の連係デザイン領域対の前記デザイン領域は、互いに実質的に同じ構成を有し、
前記第２の連係デザイン領域対の前記デザイン領域は、互いに実質的に同じ構成を有する、請求項１９又は２０に記載のシステム。
【請求項２７】
前記第１のタイルの前記デザイン領域と実質的に同じ構成を有する前記第２のタイルの前記デザイン領域は、前記第２のタイルの第１のデザイン領域であり、
前記第３のタイルの前記デザイン領域と実質的に同じ構成を有する前記第２のタイルの前記デザイン領域は、前記第２のタイルの第２のデザイン領域であり、
前記第２のタイルの前記第１のデザイン領域及び前記第２のデザイン領域は、前記第１の方向に延びる前記第２のタイルの対向する縁部を画定する、請求項２６に記載のシステム。
【請求項２８】
前記第２のタイルの前記第１のデザイン領域の前記構成、及び前記第２のタイルの前記第２のデザイン領域の前記構成は、互いに別個である、請求項２７に記載のシステム。
【請求項２９】
前記デザイン領域はそれぞれ、少なくとも１ｃｍの第２の寸法を有する、請求項１９〜２８のいずれか１項に記載のシステム。
【請求項３０】
複数の第１のタイルと、
複数の第２のタイルと、
複数の第３のタイルと、
を含むテキスタイル設置物を形成するように配置される、請求項１９〜２９のいずれか１項に記載のシステム。
【請求項３１】
長さ及び幅を有するテキスタイルウェブから形成される、請求項１９又は２０に記載のシステムであって、
前記テキスタイルウェブは、前記テキスタイルウェブの前記長さに沿って延びる前記デザイン領域であって、それぞれがデザインパラメーターによって定められる前記デザイン領域を備え、
前記デザイン領域は、
第１のデザイン領域が、前記複数のタイルの前記第１のタイルと前記第２のタイルとの間に割り当てられ、前記第１の連係デザイン領域対を定めるように、及び
第２のデザイン領域が、前記複数のタイルの前記第２のタイルと前記第３のタイルとの間に割り当てられ、前記第２の連係デザイン領域対を定めるように、且つ前記第１のタイル、前記第２のタイル及び前記第３のタイルが前記テキスタイルウェブの前記幅にわたって互いに隣接するように、構成される、システム。
【請求項３２】
前記第１のデザイン領域はモチーフを含む、請求項３１に記載のシステム。
【請求項３３】
前記モチーフは、実質的に前記第１のデザイン領域にわたって延びる、請求項３２に記載のシステム。
【請求項３４】
前記第１のデザイン領域が前記第１のタイルと前記第２のタイルとの間に割り当てられたときに、前記第１のタイルのみが前記モチーフを含むように、前記モチーフは、部分的に前記第１のデザイン領域にわたって延びる、請求項３２に記載のシステム。
【請求項３５】
前記テキスタイルウェブの前記長さに沿って延びるアクセントストライプをさらに備える、請求項３１に記載のシステム。
【請求項３６】
請求項１９又は２０に記載のシステムであって、
長さ及び幅を有するテキスタイルウェブを準備することであって、前記テキスタイルウェブの前記幅は、前記テキスタイルウェブの前記長さに沿って延びる第１のデザイン領域及び第２のデザイン領域を含む複数の別個のデザイン領域を含む、準備すること、及び
前記テキスタイルウェブを、前記第１のタイル、前記第２のタイル及び前記第３のタイルを含む前記複数のタイルに分割することであって、前記第１のデザイン領域及び前記第２のデザイン領域のそれぞれが、それぞれの第１の部分及びそれぞれの第２の部分に分割されるように、前記第１のタイル、前記第２のタイル及び前記第３のタイルが、前記テキスタイルウェブの前記幅にわたって互いに実質的に隣接している、分割することを含む、方法によって形成され、
前記第１のタイルが、前記第１のデザイン領域の前記第１の部分を含み、
前記第２のタイルが、前記第１のデザイン領域の前記第２の部分と、前記第２のデザイン領域の前記第１の部分とを含み、
前記第３のタイルが、前記第２のデザイン領域の前記第２の部分を含み、
前記第１のデザイン領域の前記第１の部分及び前記第１のデザイン領域の前記第２の部分が、前記第１の連係デザイン領域対を定め、
前記第２のデザイン領域の前記第１の部分及び前記第２のデザイン領域の前記第２の部分が、前記第２の連係デザイン領域対を定める、システム。